(57)【特許請求の範囲】
【請求項１】
共通固定接点及び個別固定接点が配設された基台と、この基台にスライド移動可能に収容されたスライド部材と、このスライド部材を一方向へ付勢する弾性部材と、前記共通固定接点に導通され、前記スライド部材の移動に伴い前記個別固定接点上を摺接する可動接点部材とを備え、前記スライド部材に、前記弾性部材の一端側と当接し該弾性部材の付勢方向に移動可能な駆動板を設けると共に、前記可動接点部材を球状に形成し、前記可動接点部材を前記スライド部材と前記駆動板との間に挟持して前記スライド部材に従動可能に保持し、前記可動接点部材を挟持する前記スライド部材の当接面に傾斜面を設け、この傾斜面と前記弾性部材の弾圧力とによって前記可動接点部材を前記個別固定接点と摺接する方向に付勢させて、前記可動接点部材を前記個別固定接点に圧接させたことを特徴とするスイッチ装置。
【請求項２】
前記基台に、前記スライド部材のスライド移動方向に沿って延びるガイド溝を設け、このガイド溝の両側に前記可動接点部材が摺動する一対の壁部を設け、この壁部に前記個別固定接点を形成したことを特徴とする請求項１記載のスイッチ装置。
【請求項３】
前記壁部を、球面状または斜面状に形成し、前記個別固定接点を前記壁部の一部に球面状または斜面状に突出させて一体に埋設して形成したことを特徴とする請求項２記載のスイッチ装置。
【請求項４】
前記個別固定接点または前記ガイド溝に、前記可動接点部材が摺動する際にクリック感触を生起させる段差部を設けたことを特徴とする請求項２、又は３記載のスイッチ装置。
【請求項５】
前記弾性部材は、導電性のばね部材からなり、該ばね部材の他端側を前記共通固定接点と導通させたことを特徴とする請求項１乃至４の何れかに記載のスイッチ装置。
【請求項６】
前記弾性部材は、前記可動接点部材を中心として対向する位置に一対設けたことを特徴とする請求項１乃至５の何れかに記載のスイッチ装置。
【請求項７】
前記個別固定接点を前記スライド部材の移動方向に複数設け、スライド位置に対応した複数の信号入力を行うことを特徴とする請求項１乃至６の何れかに記載のスイッチ装置。
【発明の詳細な説明】
【技術分野】
【０００１】
本発明は、各種電子機器の操作用スイッチとして使用されるスライドスイッチ構造を有するスイッチ装置に関する。
【背景技術】
【０００２】
従来のスイッチ装置としては、複数の固定接点が配設された絶縁板と、これら固定接点と摺接する可動接片と、この可動接点を保持し摺動させる操作子と、これらを覆うカバー及びケースとによって構成されたものが知られている（例えば、特許文献１参照）。
【０００３】
図９〜図１１は、該スイッチ装置の平面図を示したものであり、図９は可動接片が中立位置Ｎの状態、図１０は可動接片が第１位置ＭＤの状態、図１１は可動接点が第２位置ＡＤの状態を示す。図では操作子、カバー及びケースの図示を省略している。図において、絶縁板１はその上面に共通固定接点１１、第１固定接点１２，１３及び第２固定接点１４，１５を設けている。
【０００４】
そして、絶縁板１には図示しないノブの操作位置に対応した中立位置Ｎ、第１位置ＭＵ，ＭＤ及び第２位置ＡＵ，ＡＤと、可動接片２の移動範囲に対応した第１領域Ｚ１及び第２領域Ｚ２とを設定している。詳述すると、中立位置Ｎとはノブの位置が中立位置である際の可動接片２の位置であり、第１位置ＭＵ，ＭＤとはノブの操作位置が１段目の操作位置である際の可動接片２の位置であり、第２位置ＡＵ，ＡＤとはノブの操作位置が１段目からさらに操作された２段目の操作位置である際の可動接片２の位置である。また第１領域Ｚ１とは共通固定接点１１と第１固定接点１２，１３とが並んだ領域であり、第２領域Ｚ２とは共通固定接点１１と第２固定接点１４，１５とが並んだ領域である。
【０００５】
可動接片３２は、前記絶縁板３１に設定した中立位置Ｎ、第１位置ＭＵ，ＭＤ及び第２位置ＡＵ，ＡＤ間において移動自在であり、かつ前記絶縁板１の第１領域Ｚ１を摺動する第１接片２１と、第２領域Ｚ２を摺動する第２接片２２とを有している。
【０００６】
次に、上記したものの作動を説明する。まず、図９はノブを操作しない状態であり、可動接片３２の移動位置が中立位置Ｎに有る状態を示している。この状態では、可動接片３２はいずれの固定接点１１〜１５にも接触していないので、２段スイッチ装置は信号を出力しない。
【０００７】
また、図１０はノブを１段目の操作位置に操作した状態であり、可動接片３２が中立位置Ｎから第１位置ＭＤに移動した状態を示している。この状態では、可動接片３２が共通固定接点１１と第１固定接点１２との両方に接触し、両固定接点１１，１２間を橋絡する。これにより、２段スイッチ装置は１段目の信号を入力するものとなる。
【０００８】
また、図１１はノブを２段目の操作位置に操作した状態であり、可動接片３２が中立位置Ｎから第２位置ＡＤに移動した状態を示している。この状態では、可動接片３２が共通固定接点１１と第２固定接点１４との両方に接触し、両固定接点１１，１４間を橋絡する。これにより、２段スイッチ装置は２段目の信号を入力するものとなる。
【０００９】
【特許文献１】特許第３６２８４２３号公報
【発明の開示】
【発明が解決しようとする課題】
【００１０】
しかしながら、上述した従来のスイッチ装置においては、可動接片が自身の撓みによる弾圧力によって、それぞれの固定接点との摺動時の接点圧を発生させるため、スイッチ装置を小型化する場合には可動接片も小さくなり、充分な接点圧を確保できなくなり接触信頼性が低下するという問題があった。また、操作時の作動力を大きくできないという問題があった。
【００１１】
従って、本発明は上記した問題点を解決し、スライド移動に対応した信号入力が可能で、接点部の接点圧を確保すると共に作動力の大きなスイッチ装置を提供することを目的とする。
【課題を解決するための手段】
【００１２】
上記課題を解決するために本発明では第１の解決手段として、共通固定接点及び個別固定接点が配設された基台と、この基台にスライド移動可能に収容されたスライド部材と、このスライド部材を一方向へ付勢する弾性部材と、前記共通固定接点に導通され、前記スライド部材の移動に伴い前記個別固定接点上を摺接する可動接点部材とを備え、前記スライド部材に、前記弾性部材の一端側と当接し該弾性部材の付勢方向に移動可能な駆動板を設けると共に、前記可動接点部材を球状に形成し、前記可動接点部材を前記スライド部材と前記駆動板との間に挟持して前記スライド部材に従動可能に保持し、前記可動接点部材を挟持する前記スライド部材の当接面に傾斜面を設け、この傾斜面と前記弾性部材の弾圧力とによって前記可動接点部材を前記個別固定接点と摺接する方向に付勢させて、前記可動接点部材を前記個別固定接点に圧接させた構成とした。
【００１３】
また、第２の解決手段として、前記基台に、前記スライド部材のスライド移動方向に沿って延びるガイド溝を設け、このガイド溝の両側に前記可動接点部材が摺動する一対の壁部を設け、この壁部に前記個別固定接点を形成した構成とした。
また、第３の解決手段として、前記壁部を、球面状または斜面状に形成し、前記個別固定接点を前記壁部の一部に球面状または斜面状に突出させて一体に埋設して形成した構成とした。
また、第４の解決手段として、前記個別固定接点または前記ガイド溝に、前記可動接点部材が摺動する際にクリック感触を生起させる段差部を設けた構成とした。
また、第５の解決手段として、前記弾性部材は、導電性のばね部材からなり、該ばね部材の他端側を前記共通固定接点と導通させた構成とした。
また、第６の解決手段として、前記弾性部材は、前記可動接点部材を中心として対向する位置に一対設けた構成とした。
また、第７の解決手段として、前記個別固定接点を前記スライド部材の移動方向に複数設け、スライド位置に対応した複数の信号入力を行う構成とした。
【発明の効果】
【００１４】
上述したように、本発明のスイッチ装置は、共通固定接点及び個別固定接点が配設された基台と、基台にスライド移動可能に収容されたスライド部材と、スライド部材を一方向へ付勢する弾性部材と、共通固定接点に導通され、スライド部材の移動に伴い個別固定接点上を摺接する可動接点部材とを備え、スライド部材に、弾性部材の一端側と当接し弾性部材の付勢方向に移動可能な駆動板を設けると共に、可動接点部材を球状に形成し、可動接点部材をスライド部材と駆動板との間に挟持してスライド部材に従動可能に保持し、弾性部材の弾圧力によって可動接点部材を個別固定接点と摺接する方向に付勢させて、可動接点部材を個別固定接点に圧接させたことから、小型の可動接点部材でも接点圧を増加させることができ、球状の可動接点部材を個別固定接点と確実に摺接でき接触信頼性の高いスイッチ装置を提供できる。
また、可動接点部材を挟持するスライド部材の当接面に傾斜面を設け、傾斜面により可動接点部材を個別固定接点と摺接する方向に付勢させたことから、簡単な構造で、球状の可動接点部材を、個別固定接点と確実に摺接させることができる。
【００１５】
また、基台に、スライド部材のスライド移動方向に沿って延びるガイド溝を設け、ガイド溝の両側に可動接点部材が摺動する一対の壁部を設け、この壁部に個別固定接点を形成したことから、球状の可動接点部材を確実に接触させることができる。
また、壁部を、球面状または斜面状に形成し、個別固定接点を壁部の一部に球面状または斜面状に突出させて一体に埋設して形成したことから、可動接点部材が摺動するガイド溝の壁部に導電部である個別固定接点と非導電部とを簡単に形成することができる。
また、個別固定接点またはガイド溝に、可動接点部材が摺動する際にクリック感触を生起させる段差部を設けたことから、スライド部材のスライド操作時にクリック感触を付与でき、良好な操作感触が得られる。
また、弾性部材は、導電性のばね部材からなり、ばね部材の他端側を共通固定接点と導通させたことから、共通固定接点との導通経路をばね部材で形成できるので、部品点数の削減が図れる。
また、弾性部材は、可動接点部材を中心として対向する位置に一対設けたことから、複数の弾性部材によって可動接点部材を弾圧するので大きな接点圧が得られると共に、スイッチ内に弾性部材をバランス良く配置でき、可動接点部材の個別固定接点との接触を確実に行うことができる。
また、個別固定接点をスライド部材の移動方向に複数設け、スライド位置に対応した複数の信号入力を行うことから、ひとつのスイッチで複数の入力操作を行うことができる。
【発明を実施するための最良の形態】
【００１６】
以下、本発明の実施の形態を図１乃至図８に示す。図１は本発明のスイッチ装置を示す全体斜視図、図２は本発明のスイッチ装置のカバーを除いた状態を示す分解斜視図、図３は本発明のスイッチ装置のカバーを外した状態を示す平面図、図４は本発明のスイッチ装置を示す断面図、図５は本発明のスイッチ装置の基台部分を示す斜視図、図６は本発明のスイッチ装置の接点部の配置関係を示す平面図、図７は本発明のスイッチ装置の１段目オン状態を示す断面図、図８は本発明のスイッチ装置の２段目オン状態を示す断面図である。
【００１７】
図１及び図２において、本発明のスイッチ装置は、複数の固定接点が配設された基台１と、固定接点上を摺接する可動接点部材６と、可動接点部材６を保持し弾性部材７により一方向へ付勢され、基台１にスライド移動可能に収容されたスライド部材４及び駆動板５と、基台１の開口部の上面側を覆うカバー８とから主に構成されている。
【００１８】
図２及び図５に示すように、基台１は、合成樹脂等の絶縁材で形成され、上面及び一側面が開口されて内部に収納部１ａ、側面に開口部１ｂを有する略矩形状の箱型に形成されている。この基台１の開口部１ｂに対向する側面の外面中央には、外方へ突出した突出部１ｃが設けられ、この突出部１ｃを挟んで両側には、カバー８と係合する係合突起１ｄが設けられている。また、基部１の他の対向する側面にも、同じくカバー８と係合する係合突起１ｄが設けられている。
【００１９】
また、基台１の突出部１ｃが設けられた側面の内側面両側には、導電性の金属板からなる一対の共通固定接点２、２がその一部を表出して埋設されている。また、収納部１ａの内底面両側には、スライド部材４のスライド移動方向に沿って延びる一対の凹溝部１ｅ、１ｅが設けられており、これら凹溝部１ｅ、１ｅの内底面にもそれぞれ共通固定接点２、２の一部が表出されている。この一対の凹溝部１ｅ、１ｅに、弾性部材７が収容されて、この弾性部材７の一端側が駆動板５に当接され、他端側が共通固定接点２と導通した状態で配設されている。
また、共通固定接点２、２の他端側は、基台１の他の対向する側面の外方に導出されて、それぞれ接続端子２ａ、２ａが設けられている。
【００２０】
また、収納部１ａの内底面中央には、スライド部材４のスライド移動方向に沿って延びる凹状で細溝状のガイド溝１ｆが設けられており、このガイド溝１ｆの両側にはガイド溝１ｆの底部から延設された一対の壁部１ｇ、１ｈが設けられている。また、この一対の壁部１ｇ、１ｈは、ガイド部１ｆの底部から壁部１ｇ、１ｈの上面に向かって、互いに拡開する方向に球面状または斜面状に形成されている（本実施例では球面状）。また、ガイド溝１ｆの略中央には、スライド部材４のスライド移動方向に沿って壁部１ｇ、１ｈの高さを異ならせるための段差部１ｉが設けられている。また、一対の壁部１ｇ、１ｈの両側には、一対の凹溝部１ｅ、１ｅとの間に、それぞれ突条の隔壁１ｊ、１ｊが設けられている。
【００２１】
また、ガイド溝１ｆの両側の一対の壁部１ｇ、１ｈには、略対向する位置に、同じく導電性の金属板からなる１段目スイッチ及び２段目スイッチの接点部を構成する、第１個別固定接点３ａ及び第２個別固定接点３ｂからなる個別固定接点３が、その一部を表出してそれぞれ埋設されている。この場合、それぞれの個別固定接点３は、一対の壁部１ｇ、１ｈの一部に球面状または斜面状（本実施例では球面状）に突出させて一体に埋設して形成されている。そして、この一対の壁部１ｇ、１ｈ上を可動接点部材６が摺動するものとなっており、可動接点部材６が順次、第１個別固定接点３ａ及び第２個別固定接点３ｂと摺接するものとなっている。
【００２２】
このように、一対の壁部１ｇ、１ｈを、球面状に形成し、第１及び第２個別固定接点３ａ、３ｂを一対の壁部１ｇ、１ｈの一部に球面状に突出させて一体に埋設して形成したことから、可動接点部材６が摺動するガイド溝１ｆの壁部１ｇ、１ｈに導電部である個別固定接点３と非導電部とを簡単に形成することができるものとなっている。
【００２３】
また、この時、ガイド溝１ｆの略中央には、スライド部材４のスライド移動方向に沿って壁部１ｇ、１ｈの高さを異ならせる段差部１ｉが設けられており、この段差部１ｉを設けることにより、スライド部材４がスライド移動する際に、可動接点部材６が壁部１ｇ、１ｈ上を摺動して段差部１ｉに当接することで、スライド部材４のスライド操作時にクリック感触を付与でき、良好な操作感触が得られるものとなっている。
また、それぞれの個別固定接点３の他端側は、基台１の側面に設けられた突出部１ｃの外方に導出されて、それぞれ接続端子３ｃ及び３ｄが設けられている。
【００２４】
また、図２、図５に示すように、基台１の開口部１ｂから見て左側に位置する１段目スイッチである第１個別固定接点３ａは、右側に位置する２段目スイッチである第２個別固定接点３ｂに比べて、可動接点部材６の摺動方向すなわちスライド部材４のスライド移動方向の前端側（開口部１ｂ側）の表出部の長さが若干長く形成されている。このため、スライド部材４のスライド移動時には、可動接点部材６が第１個別固定接点３ａに接触した後、第２個別固定接点３ｂに接触するものとなり、１段目スイッチがオンした後、２段目スイッチがオンするものとなっている。
【００２５】
また、この場合、ガイド溝１ｆの略中央に設けられたクリック用の段差部１ｉは、一方の１段目スイッチである第１個別固定接点３ａが設けられた壁部１ｇ側では、導電部にかかった位置に設けられ、他方の２段目スイッチである第２個別固定接点３ｂが設けられた壁部１ｈ側では、合成樹脂材からなる非導電部に設けられており、このため、スライド部材４のスライド移動時には、可動接点部材６が第１個別固定接点３ａに接触した後、可動接点部材６が段差部１ｉを乗り上げることによりクリック感触が得られ、その後、第２個別固定接点３ｂに接触するものとなっている。
【００２６】
スライド部材４は、同じく合成樹脂等の絶縁材で形成され、基台１の収納部１ａにスライド移動可能に収容された駆動部４ａと、この駆動部４ａの前方に設けられ、基台１の開口部１ｂから突出された矩形状の操作部４ｂとを有している。また、駆動部４ａは、両側面に設けられ、収納部１ａの内壁面と摺動する一対の摺動腕部４ｃ、４ｃと、これら摺動腕部４ｃ、４ｃより内側に設けられ、可動接点部材６を保持する接点保持部４ｄと、接点保持部４ｄの上面側に突出され、駆動板５をスライド部材４のスライド移動方向に移動可能に係合する矩形状の係合凸部４ｅとを有している。
【００２７】
また、接点保持部４ｄの後方側中央には、可動接点部材６を収容する半円状の保持孔部４ｆが設けられており、この保持孔部４ｆの内周面には、基台１の収納部１ａの内底面側に向かって拡開する傾斜面１ｇが設けられている。そして、可動接点部材６が接点保持部４ｄの保持孔部４ｆと駆動板５とによって挟持された時、この傾斜面１ｇにより可動接点部材６を複数の個別固定接点３と摺接する方向に付勢させるものとなっている。
【００２８】
駆動板５は、導電性の金属板を打ち抜き折り曲げることにより形成されており、平板状で一端側に両翼部５ｂ、５ｂを有する略Ｔ字状の基板部５ａと、この基板部５ａの略中央に設けられた矩形状の係合孔５ｃと、基板部５ａの両翼部５ｂ、５ｂの周縁部から下方に直角に折り曲げられて同一平面上に対向して形成された一対のばね当接部５ｄ、５ｄと、基板部５ａの他端側に下方に直角に折り曲げられて形成された接点押圧部５ｅとを有している。
【００２９】
この駆動板５は、スライド部材４の駆動部４ａの上面側に載置され、基板部５ａに設けられた矩形状の係合孔５ｃがスライド部材４の駆動部４ａに設けられた矩形状の係合凸部４ｅに係合されており、スライド部材４のスライド移動に従動して駆動板５がスライド部材４のスライド移動方向に移動可能となっている。この場合、係合孔５ｃは係合凸部４ｅに比べてスライド方向の寸法がやや大きく形成されており、駆動板５がスライド部材４の駆動部４ａ上を独自にスライド移動可能となるように遊嵌された状態となっている。
【００３０】
また、この時、駆動板５の両翼部５ｂ、５ｂに設けられた一対のばね当接部５ｄ、５ｄが、スライド部材４の駆動部４ａの両側面に設けられた一対の摺動腕部４ｃ、４ｃの後方側面に対向あるいは当接した状態で配置され、また、他端側に設けられた接点押圧部５ｅが、接点保持部４ｆの後方中央に設けられた保持孔部４ｆの内周面と対向した状態で配置されている。
【００３１】
可動接点部材６は、導電性の金属材で球状に形成されている。この可動接点部材６は、自身では弾性を有しておらず、従来の可動接片が自身の撓みによる弾圧力によって摺動時の接点圧を生起させているのに対して、可動接点部材６自身の撓みで接点圧を生起させる必要がないため、金属球等で簡単に形成できるので、小型化が可能となっている。この可動接点部材６は、駆動板５の接点押圧部５ｅとスライド部材４の保持孔部４ｆの内周面に設けられた傾斜面１ｇとの間に挟持されてスライド部材４に従動可能に保持されるものとなっているので、可動接点部材６を球状に形成してもスライド移動時に安定して導通状態を維持することができる。
【００３２】
弾性部材７は、導電性の金属線材からなるコイルばねで形成されている。この弾性部材７は、一端側がスライド部材４の駆動部４ａの上面側に載置された駆動板５のばね当接部５ｄに当接され、他端側が基台１の突出部１ｃが設けられた側面の内側面両側に表出した共通固定接点２に当接された状態で、基台１の収納部１ａの内底面に形成された凹溝部１ｅ内に配設されており、駆動部材５と共通固定接点２とが弾性部材７であるコイルばねを介して電気的に導通されている。また、この弾性部材７で、収納部１ａ内にスライド移動可能に収容されたスライド部材４を一方向（図３の右方向）に弾性付勢している。
【００３３】
この場合、弾性部材７は、駆動板５の基板部５ａの両翼部５ｂ、５ｂに設けられた一対のばね当接部５ｄ、５ｄと、基台１の突出部１ｃが設けられた側面の内側面両側に表出した一対の共通固定接点２、２との間に、２個配設されている。すなわち、弾性部材７は、可動接点部材６を中心として対向する位置に一対設けられている。そして、このために、複数の弾性部材７によって可動接点部材６を弾圧することになるので、大きな接点圧が得られると共に、スイッチ内にこれらの弾性部材７をバランス良く配置できることから、可動接点部材６を個別固定接点３と確実に接触させることができるものとなる。
【００３４】
また、弾性部材７は、導電性のばね部材から形成して、ばね部材の他端側を共通固定接点２と導通させるようにしたので、共通固定接点２との導通経路をスライド部材４を付勢する弾性部材であるばね部材を兼用して形成できるため、部品点数の削減が図れるものとなっている。
【００３５】
また、図３、図４に示すように、弾性部材７が収納部１ａに組み込まれた状態では、弾性部材７の一端側が駆動板５のばね当接部５ｄに当接され、駆動板５がスライド部材４と共にスライド部材４の操作部４ｂが突出する方向へ付勢されており、この時、駆動板５の接点押圧部５ｅと、スライド部材４の保持孔部４ｆの内周面に設けられた傾斜面１ｇとの間に挟持された球状の可動接点部材６は、弾性部材７の弾圧力による接点押圧部５ｅの押圧力（図４の右方向）によって、保持孔部４ｆの傾斜面１ｇに押圧され、この傾斜面１ｇに沿って収納部１ａの内底面側（図４の下方向）へ弾圧されている。
【００３６】
このように、球状の可動接点部材６を、弾性部材７の弾圧力により駆動板５の一端側とスライド部材４との間に挟持し、この可動接点部材６を挟持するスライド部材４の当接面に傾斜面１ｇを設けると共に、この傾斜面１ｇにより可動接点部材６を複数の個別固定接点３と摺接する方向に付勢させるようにしたので、簡単な構造で、球状の可動接点部材６を、第１個別固定接点３ａ及び第２個別固定接点３ｂと確実に摺接させることができる。
【００３７】
また、収納部１ａの内底面には、スライド部材４のスライド移動方向に沿って延びるガイド溝１ｆを設け、このガイド溝１ｆの両側には、球状の可動接点部材６が跨って摺動する一対の壁部１ｇ、１ｈが設けられており、これら一対の壁部１ｇ、１ｈにそれぞれ第１及び第２個別固定接点３ａ、３ｂを突出させて一体に埋設して形成し、この一対の壁部１ｇ、１ｈ上を球状の可動接点部材６が摺動するものとなっており、可動接点部材６が順次、第１個別固定接点３ａ及び第２個別固定接点３ｂと摺接することから、球状の可動接点部材６を確実に接触させることができるものとなっている。
【００３８】
カバー８は、平板状の金属板からなり、略矩形状の蓋部８ａと、対向する両側部の前方側、及び後側部の両端側に、それぞれ下方へ屈曲して設けられた同形の一対の脚部８ｂ、８ｂ、及び８ｂ、８ｂとを有している。また、蓋部８ａにはスライド部材４のスライド方向に延設された略長方形状の膨出部８ｃが設けられ、この膨出部８ｃ内にスライド部材４の矩形状の係合凸部４ｅが移動可能に配置されている。また、それぞれの一対の脚部８ｂ、８ｂは、Ｌ字状の係止爪８ｄ、８ｄを有しており、これら係止爪８ｄ、８ｄが、基台１の開口部１ｂに対向する側面、及び他の対向する側面に同じく突出して設けられた係合突起１ｄと係合することによりカバー８が基台１の収納部１ａの上面側に装着されている。
【００３９】
次に、図４乃至図８を用いて本発明のスイッチ装置の動作を説明する。
まず、図４に示す初期状態では、スライド部材４は弾性部材７の弾圧力により駆動板５を介して図示右方向へ付勢されている。この時、球状の可動接点部材６は、弾性部材６の弾圧力により駆動板５を介してスライド部材４の傾斜面１ｇに押圧されて下方に付勢され、接点圧を生起した状態で収納部１ａの内底面に形成されたガイド溝１ｆの両壁部１ｇ、１ｈ上に弾圧されている。この状態では、可動接点部材６は、第１個別固定接点３ａ及び第２個別固定接点３ｂとは離間しておりスイッチはオフ状態となっている。
【００４０】
次に、図７に示すようにスライド部材４を図示左方向へ押圧操作すると、弾性部材７の付勢力に抗してスライド部材４及び駆動板５と可動接点部材６が左方向に移動し、可動接点部材６がガイド溝１ｆの両壁部１ｇ、１ｈ上を摺動して、図５で左側に示す壁部１ｇに表出された第１個別固定接点３ａの前端側に接触して、第１個別可動接点３ａと共通個別固定接点２が可動接点部材６、駆動板５及び弾性部材７を介して電気的に導通され１段目スイッチがオン状態となる。
この時、可動接点部材６は、スライド部材４の押圧操作に伴い圧縮された弾性部材７の更に加圧された弾圧力により第１個別固定接点３ａに弾圧されるので、確実に安定した接点圧が得られるものとなる。
【００４１】
次に、この状態から、図８に示すように、更にスライド部材４を図示左方向に押圧操作すると、更に弾性部材７の付勢力に抗してスライド部材４及び駆動板５と可動接点部材６が左方向に移動し、可動接点部材６が壁部１ｇ、１ｈ上を摺動してガイド溝１ｆの略中央に設けられた段差部１ｉ（図５参照）に当接して、可動接点部材６が壁部１ｇ、１ｈの段差を乗り越える時にクリック感触が生起されるものとなる。そして、可動接点部材６が図５で右側に示す壁部１ｈに表出された第２個別固定接点３ｂと接触して、第２個別可動接点３ｂと共通個別固定接点２が可動接点部材６、駆動板５及び弾性部材７を介して電気的に導通され２段目スイッチがオン状態となる。
【００４２】
この時、球状の可動接点部材６は、段差部１ｉにより壁部１ｇ、１ｈの高さが変わるため、スライド部材４の傾斜面１ｇに沿って上方へ移動することになるが、駆動板５はスライド部材４の駆動部４ａ上を独自にスライド移動可能に遊嵌されているため、可動接点部材６を押圧している駆動板５の接点押圧部５ｅが、スライド部材４のスライド移動方向（図８で左側）へ移動することにより、可動接点部材６は上方への移動が可能となっている。
また、可動接点部材６は、スライド部材４の押圧操作に伴い圧縮された弾性部材７の更に加圧された弾圧力により第２個別固定接点３ｂに弾圧されるので、更に、確実に安定した接点圧が得られるものとなる。
【００４３】
尚、本実施例では、２段目スイッチのオン時にクリック感触を発生する構造で説明したが、第１個別固定接点３ａの前端側にも同様な段差部を設けて、１段目スイッチのオン時においてもクリック感触が生起されるようにしてもよい。
【００４４】
上記した本発明の実施例によれば、スライド部材４に、弾性部材７の一端側と当接し、この弾性部材７の付勢方向に移動可能な駆動板５を設けると共に、可動接点部材６を球状に形成し、この可動接点部材６をスライド部材４と駆動板５との間に挟持して、スライド部材４に従動可能に保持し、弾性部材７の弾圧力によって可動接点部材６を個別固定接点３ａ、３ｂと摺接する方向に付勢させて、可動接点部材６を個別固定接点３ａ、３ｂに圧接させるようにしたので、弾性部材７によって可動接点部材６を弾圧することにより、小さな可動接点部材でも接点圧を増加させることができ、球状の可動接点部材６を個別固定接点３ａ、３ｂと確実に摺接でき、接触信頼性の高いスイッチ装置を提供できるものとなっている。
【００４５】
尚、上記した本発明の実施例では、個別固定接点をスライド部材の移動方向に複数設け、スライド位置に対応した複数の信号入力を行うスイッチで説明したが、本発明はこのような多段入力を行うものに限定されるものではない。
例えば、個別固定接点３ａのみを形成して、他の個別固定接点３ｂの形成位置には絶縁樹脂を盛って、他の個別固定接点３ｂとその出力端子３ｄとを省くことにより1段スイッチとして構成しても良い。その場合は、個別固定接点３ａに可動接点部材６が当接してスイッチがオン状態に切り替わった後に、更にスライド部材４をスライド移動させることが可能となり、接点部の接点圧を確保すると共に作動力および操作量の大きなスイッチを提供することが可能となる。
また、個別固定接点３ｂのみを設けて１段スイッチを構成する場合には、可動接点部材６が壁部１ｇ、１ｈの段差を乗り越えてクリック感触が発生した後に接点部によるスイッチ切換えを行うことが可能となる。
【図面の簡単な説明】
【００４６】
【図１】本発明のスイッチ装置を示す全体斜視図である。
【図２】本発明のスイッチ装置のカバーを除いた状態を示す分解斜視図である。
【図３】本発明のスイッチ装置のカバーを外した状態を示す平面図である。
【図４】本発明のスイッチ装置を示す断面図である。
【図５】本発明のスイッチ装置の基台部分を示す斜視図である。
【図６】本発明のスイッチ装置の接点部の配置関係を示す平面図である。
【図７】本発明のスイッチ装置の１段目オン状態を示す断面図である。
【図８】本発明のスイッチ装置の２段目オン状態を示す断面図である。
【図９】従来のスイッチ装置の可動接片が中立位置Ｎの状態を示す平面図である。
【図１０】従来のスイッチ装置の可動接片が第１位置ＭＤの状態を示す平面図である。
【図１１】従来のスイッチ装置の可動接点が第２位置ＡＤの状態を示す平面図である。
【符号の説明】
【００４７】
１：基台
１ａ：収納部
１ｂ：開口部
１ｃ：突出部
１ｄ：係合突起
１ｅ：凹溝部
１ｆ：ガイド溝
１ｇ：壁部
１ｈ：壁部
１ｉ：段差部
１ｊ：隔壁
２：共通固定接点
２ａ：接続端子
３：個別固定接点
３ａ：第１個別固定接点
３ｂ：第２個別固定接点
３ｃ：接続端子
３ｄ：接続端子
４：スライド部材
４ａ：駆動部
４ｂ：操作部
４ｃ：摺動腕部
４ｄ：接点保持部
４ｅ：係合凸部
４ｆ：保持孔部
４ｇ：傾斜面
５：駆動板
５ａ：基板部
５ｂ：翼部
５ｃ：係合孔
５ｄ：ばね当接部
５ｅ：接点押圧部
６：可動接点部材
７：弾性部材
８：カバー
８ａ：蓋部
８ｂ：脚部
８ｃ：膨出部
８ｄ：係止爪
【図１】
0004524247.tif 000002
【図２】
0004524247.tif 000003
【図３】
0004524247.tif 000004
【図４】
0004524247.tif 000005
【図５】
0004524247.tif 000006
【図６】
0004524247.tif 000007
【図７】
0004524247.tif 000008
【図８】
0004524247.tif 000009
【図９】
0004524247.tif 000010
【図１０】
0004524247.tif 000011
【図１１】
0004524247.tif 000012